(57)【要約】【課題】執務者の用途に応じて使用態様の変更を可能としつつ、カートシステムの形状をコンパクトとし、執務者の使い勝手を良好とするカートシステムを提供する。【解決手段】カートシステム１０１は、床面上を走行可能な複数のキャスター１１３が設けられた第一ベース部１２、及び第一ベース部１２に支持され、電子機器を載置可能な第一天板１２を有する第一カート１と、物品を載置可能とした物品載置部２１を上下に複数有する第二カート２と、第一カート１と第二カート２とを着脱可能に連結する連結手段５とを備えることを特徴とする。【選択図】図１
2013017701.tif 000002
【特許請求の範囲】
【請求項１】
床面上を走行可能な複数のキャスターが設けられた第一ベース部、及び該第一ベース部に支持され、電子機器を載置可能な第一天板を有する第一カートと、
物品を載置可能とした物品載置部を上下に複数有する第二カートと、
前記第一カートと前記第二カートとを着脱可能に連結する連結手段とを備えることを特徴とするカートシステム。
【請求項２】
請求項１に記載のカートシステムにおいて、
前記第二カートの高さは、前記第一カートの前記第一天板の下面の高さより低く設定されていることを特徴とするカートシステム。
【請求項３】
請求項１又は請求項２に記載のカートシステムにおいて、
前記連結手段によって前記第一カートと前記第二カートとが連結された状態で、
前記第二カートの少なくとも一部は、前記第一カートの前記第一天板の直下に配設されていることを特徴とするカートシステム。
【請求項４】
請求項３に記載のカートシステムにおいて、
前記第一カートは、
前記第一ベース部に取り付けられ、前記第一天板を支持する第一支持部を有し、
前記第一ベース部、前記第一支持部及び前記第一天板とに囲まれるようにして、前方、左方及び右方に連続して開口する前部空間が形成され、
前記連結手段によって前記第一カートと前記第二カートとが連結された状態で、
前記第二カートの少なくとも一部は、前記前部空間に配設されていることを特徴とするカートシステム。
【請求項５】
請求項１から請求項４のいずれか一項に記載のカートシステムにおいて、
前記第二カートは、前記物品載置部を左右両側で支持する複数の第二支持部を有し、
前記連結手段によって前記第一カートと前記第二カートとが連結された状態で、
前記第一カートの少なくとも一部は、左右両側に設けられた前記第二支持部の間に配設されていることを特徴とするカートシステム。
【請求項６】
請求項１から請求項５のいずれか一項に記載のカートシステムにおいて、
前記第二カートは、把持可能な操作ハンドル部を有し、
前記連結手段は、前記第一カートに設けられ、前記操作ハンドル部に着脱可能に嵌合したハンドル嵌合部を有することを特徴とするカートシステム。
【請求項７】
請求項１から請求項５のいずれか一項に記載のカートシステムにおいて、
前記連結手段は、前記第二カートに設けられ、前記第一ベース部に下方より着脱可能に係合するベース係合部を有することを特徴とするカートシステム。
【発明の詳細な説明】
【技術分野】
【０００１】
本発明は、カート装置、特にオフィス、病院、又は公共施設等における執務空間にて使用される複数のカート装置を連結させたカートシステムに関するものである。
【背景技術】
【０００２】
従来、オフィス、病院、公共施設等における執務空間においては、執務空間内の様々な場所に移動しながら電子機器を用いて執務を行う場合がある。この場合、カート装置の天板上に電子機器を載置し、又カート装置に設けられた物品収納部に執務に必要な物品を収納して、執務者がカート装置とともに移動し、随時必要に応じた場所にて執務が行われていた。
【先行技術文献】
【特許文献】
【０００３】
【特許文献１】特開２００８−０１７９２９号公報
【特許文献２】特開２００９−２７９４１４号公報
【発明の概要】
【発明が解決しようとする課題】
【０００４】
ここで、特許文献１乃至２の前述のカート装置では、物品収納部を設けることにより執務者が物品を運搬して執務をすることを可能にする機能と、電子機器を用いた執務をすることを可能にする機能の二つの機能を備えている。しかしながら、電子機器を使用するためのカート装置に物品運搬機能を充実させるために物品収納部を多く設けると当該カート装置が大きくなってしまうとともに、物品を運搬する必要がない場合には物品収納部が無駄になってしまうという問題があった。
【０００５】
本発明は、前述の従来技術における問題を解決するために、執務者の用途に応じて使用態様の変更を可能としつつ、カート装置の形状をコンパクトとし、執務者の使い勝手を良好とするカートシステムを提供することを目的とするものである。
【課題を解決するための手段】
【０００６】
上記目的を達成するために、本発明は以下の手段を採用している。
すなわち、本発明に係るカートシステムは、床面上を走行可能な複数のキャスターが設けられた第一ベース部、及び該第一ベース部に支持され、電子機器を載置可能な第一天板を有する第一カートと、物品を載置可能とした物品載置部を上下に複数有する第二カートと、前記第一カートと前記第二カートとを着脱可能に連結する連結手段とを備えることを特徴とする。
【０００７】
この構成では、第一天板に電子機器を載置すると執務者は第一カートで電子機器を用いた執務を行うことができ、物品載置部に物品を載置すると執務者は第二カートで物品を運搬して執務を行うことができる。ここで、どちらか一方のみの執務をする場合には、第一カート又は第二カートを単独で使用し、両方の執務をする場合には連結手段により第一カートと第二カートを連結させて使用することができる。よって、執務者の用途に応じて使用態様の変更を可能としつつ、執務者の使い勝手を良好にすることができる。
また、移動しながら電子機器を使用する際に、第一カートを単独で使用することで、物品載置部を有する第二カートを切り離して、コンパクトな使用形態で電子機器を使用することができる。また、物品を搬送する際に、第二カートを単独で使用することで、電子機器を載置する天板を有する第一カートを切り離して、コンパクトな使用形態で物品を搬送することができる。
【０００８】
また、本発明に係るカートシステムは、前記第二カートの高さは、前記第一カートの前記第一天板の下面の高さより低く設定されていることを特徴とする。
【０００９】
この構成では、第二カートの高さが第一カートの天板の下面の高さより低いので、第一カートと第二カートを連結させた状態で、第一カートの第一天板上に載置した電子機器を使用することができるので、執務者の使い勝手を良好にすることができる。
【００１０】
また、本発明に係るカートシステムは、前記連結手段によって前記第一カートと前記第二カートとが連結された状態で、前記第二カートの少なくとも一部は、前記第一カートの前記第一天板の直下に配設されていることを特徴とする。
【００１１】
この構成では、第二カートの少なくとも一部を第一カートの天板の直下に配設することができるので、第一カートと第二カートを連結させた状態でカートシステム全体としてコンパクトな形状とすることができる。
【００１２】
また、本発明に係るカートシステムは、前記第一カートは、前記第一ベース部に取り付けられ、前記第一天板を支持する第一支持部を有し、前記第一ベース部、前記第一支持部及び前記第一天板とに囲まれるようにして、前方、左方及び右方に連続して開口する前部空間が形成され、前記連結手段によって前記第一カートと前記第二カートとが連結された状態で、前記第二カートの少なくとも一部は、前記前部空間に配設されていることを特徴とする。
【００１３】
この構成では、第二カートの少なくとも一部を、第一カートの第一天板下方に設けられて前方、左方及び右方に連続して開口する前部空間に配設することができるので、第一カートと第二カートを連結させた状態でカートシステム全体としてコンパクトな形状とすることができる。
【００１４】
また、本発明に係るカートシステムは、前記第二カートは、前記物品載置部を左右両側で支持する複数の第二支持部を有し、前記連結手段によって前記第一カートと前記第二カートとが連結された状態で、前記第一カートの少なくとも一部は、左右両側に設けられた前記第二支持部の間に配設されていることを特徴とする。
【００１５】
この構成では、第一カートの少なくとも一部を、第二カートの第二支持部の間に配設することができるので、第一カートと第二カートを連結させた状態でカートシステム全体としてコンパクトな形状とすることができる。
【００１６】
また、本発明に係るカートシステムは、前記第二カートは、把持可能な操作ハンドル部を有し、前記連結手段は、前記第一カートに設けられ、前記操作ハンドル部に着脱可能に嵌合したハンドル嵌合部を有することを特徴とする。
【００１７】
この構成では、電子機器を用いた執務又は物品を運搬しての執務の両方を行う場合は、第二カートに設けられた操作ハンドル部と第一カートに設けられたハンドル嵌合部を嵌合して第一カートと第二カートを連結させることができる。また、連結手段が着脱可能であるので、どちらか一方のみの執務を行う場合は、操作ハンドル部とハンドル嵌合部の嵌合を解除して第一カートと第二カートを切り離すことができる。よって、執務者の用途に応じて使用態様の変更を可能としつつ、執務者の使い勝手を良好にすることができる。
【００１８】
また、本発明に係るカートシステムは、前記連結手段は、前記第二カートに設けられ、前記第一ベース部に下方より着脱可能に係合するベース係合部を有することを特徴とする。
【００１９】
この構成では、電子機器を用いた執務又は物品を運搬しての執務の両方を行う場合は、第二カートに設けられたベース係合部と第一カートに設けられた第一ベース部を係合して第一カートと第二カートを連結させることができる。また、連結手段が着脱可能であるので、どちらか一方のみの執務を行う場合は、ベース係合部と第一ベース部の係合を解除して第一カートと第二カートを切り離すことができる。よって、執務者の用途に応じて使用態様の変更を可能としつつ、執務者の使い勝手を良好にすることができる。
【発明の効果】
【００２０】
本発明に係るカートシステムによれば、執務者の用途に応じて使用態様の変更を可能としつつ、カートシステムの形状をコンパクトとし、執務者の使い勝手を良好とすることができる。
【図面の簡単な説明】
【００２１】
【図１】本発明の第一実施形態におけるカートシステムの斜視図である。
【図２】本発明の第一実施形態におけるカートシステムの側面図である。
【図３】本発明の第一実施形態におけるカートシステムの連結手段部分の拡大側面図である。
【図４】本発明の第一実施形態におけるカートシステムの連結手段を第二カートから切り離した場合の拡大側面図である。
【図５】本発明の第一実施形態におけるカートシステムの連結手段を第一カート及び第二カートから切り離した場合の斜視図である。
【図６】本発明の第一実施形態におけるカートシステムの連結手段の構成を示す斜視図である。
【図７】本発明の第二実施形態におけるカートシステムの斜視図である。
【図８】本発明の第二実施形態におけるカートシステムの連結手段を第一カートから切り離した場合の斜視図である。
【図９】本発明の第二実施形態におけるカートシステムの連結手段部分の拡大図である。
【図１０】本発明の第三実施形態におけるカートシステムの斜視図である。
【図１１】本発明の第三実施形態におけるカートシステムの連結手段を第二カートから切り離した場合の斜視図である。
【図１２】本発明の第四実施形態におけるカートシステムの斜視図である。
【図１３】本発明の第四実施形態におけるカートシステムの連結手段を第二カートから切り離した場合の斜視図である。
【図１４】本発明の第五実施形態におけるカートシステムの斜視図である。
【図１５】本発明の第五実施形態におけるカートシステムの連結手段を第一カートから切り離した場合の斜視図である。
【図１６】本発明の第六実施形態におけるカートシステムの斜視図である。
【図１７】本発明の第六実施形態におけるカートシステムの連結手段を第一カートから切り離した場合の斜視図である。
【図１８】本発明の第七実施形態におけるカートシステムの斜視図である。
【発明を実施するための形態】
【００２２】
（第一実施形態）
以下、本発明の第一実施形態に係るカートシステム１０１について、図面を参照して説明する。
（全体構成）
図１に示すように、本発明に係るカートシステム１０１は、移動可能であるとともに電子機器を載置して使用可能とする第一カート１と、物品を載置して搬送可能とした第二カート２と、第一カート１と第二カート２とを着脱可能に連結する連結手段５と、を備える。
【００２３】
（第一カート１）
第一カート１は、床面上を走行可能な複数の第一キャスター１１３が設けられた第一ベース部１１と、第一ベース部１１に支持され、電子機器を載置可能な第一天板１２と、第一ベース部１１に設けられ、第一天板１２を支持する第一支持部１３と、第一支持部１３に設けられた把持可能な第一操作ハンドル部１４と、を備えている。
ここで、執務者が第一操作ハンドル部１４と対向するように位置して第一操作ハンドル部１４を押し引きする方向となる図１の紙面の右奥から左手前に沿う方向をカートシステム１０１の前後方向Ｙとし、第一操作ハンドル部１４を押す側となる紙面右奥側をカートシステム１０１の「前方」、第一操作ハンドル部１４を引く側となる紙面左手前側をカートシステム１０１の「後方」と称する。また、平面視して前後方向Ｙと直交する方向となる図１の紙面右手前から左奥に沿う方向をカートシステム１０１の左右方向Ｘとし、紙面右手前側をカートシステム１０１の「右側」、紙面左奥側をカートシステム１０１の「左側」と称する。
【００２４】
第一ベース部１１は、第一支持部１３の下端より前方に向かって設けられた左右一対の前部脚杆１１１と、第一支持部１３の下端より後方に向かって設けられた左右一対の後部脚杆１１２と、前述の第一キャスター１１３と、を備える。第一キャスター１１３は、左右一対の前部脚杆１１１及び後部脚杆１１２の各先端に取り付けられている。
【００２５】
第一支持部１３は、第一ベース部１１に設けられ、上端にて第一天板１２の裏面に固定されている。また、第一支持部１３は、第一ベース部１１から上方に向かって立設された支持基体１３１と、支持基体１３１に取り付けられ第一天板１２を支持する天板支持部１３２と、を備える。
図５に示すように、支持基体１３１の前方の面には、上下方向に沿って第一溝部１３６が左右二箇所に設けられている。該第一溝部１３６には、断面視してコの字状をなす溝付係合部１３７が嵌合されている。溝付係合部１３７には、それぞれ略矩形の第二溝部１３８が上下方向に沿って三箇所設けられている。該第二溝部１３８には、後述する連結手段５である連結基部５１が挿入され、固定されている。
天板支持部１３２は、支持基体１３１に側面視して片持ち状に取り付けられた左右一対の第一天板支持部１３３と、各第一天板支持部１３３の先端に取り付けられた左右一対の第二天板支持部１３４と、各第二天板支持部１３４の先端に取り付けられ前方へと配されるとともに、上面にて天板を支持する左右一対の第三天板支持部１３５と、を備える。本実施形態では、第一天板支持部１３３は、支持基体１３１の上端から上方に向かうに従って右側後方と左側後方へと配されている。また、第二天板支持部１３４は、上方に向かうに従って前方へと配されている。
【００２６】
第一天板１２は、平面視して略矩形をなし、上面は電子機器等の物品を載置可能であり、下面にて左右一対の第三天板支持部１３５に支持されている。
【００２７】
第一操作ハンドル部１４は、左右各側の第一天板支持部１３３と第二天板支持部１３４の連結部分同士を連結し、断面視して円形をなしている。
【００２８】
（第二カート２）
第二カート２は、物品を載置可能とし上下に複数設けられた物品載置部２１と、物品載置部２１のそれぞれを左右両側で支持する複数の第二支持部２２と、各第二支持部２２に取り付けられた第二キャスター２３と、左右両側の第二支持部２２を連結し把持可能な第二操作ハンドル部２４と、を備える。
【００２９】
第二支持部２２は、上下方向に沿って配設され前後方向に対をなして設けられた一対の支持杆１２１と、一対の支持杆１２１同士の上端を前後方向に連結する連結杆１２２と、を備える。支持杆１２１の下端にはそれぞれ第二キャスター２３が設けられている。支持杆１２１及び連結杆１２２は断面視して円形をなし、支持杆１２１と連結杆１２２の連結箇所は、曲線状に屈曲している。
【００３０】
物品載置部２１は、支持杆１２１の上部、下部、及び上部と下部の略中間部のそれぞれに設けられている。各物品載置部２１は、略矩形をなし、各角部分が支持杆１２１に内接している。
【００３１】
第二操作ハンドル部２４は、前後それぞれに設けられ、各第二支持部２２の前後いずれかの対応する支持杆１２１に取り付けられている。すなわち、第二操作ハンドル部２４は、左右方向に沿って配設され把持可能な把持部１４１と、把持部１４１の両端に設けられ、対応する支持杆１２１に取り付けられた連結部１４２とを有する。
【００３２】
（連結手段５）
本実施形態では、連結手段５として、第一カート１に取り付けられるとともに、第二カート２の第二操作ハンドル部２４に着脱可能に嵌合されるハンドル嵌合部６を有する。図３及び図４に示すように、ハンドル嵌合部６は、第一カート１の支持基体１３１に設けられた連結基部５１と、連結基部５１に回転可能に取り付けられ第二カート２の第二操作ハンドル部２４に着脱可能に嵌合される着脱連結部６１とを有する。
【００３３】
図６に示すように、連結基部５１は、支持基体１３１と嵌合された後述する嵌合凸部５３が設けられた支持台５２と、支持台５２より突設された左右一対の突設部５８と、一対の突設部５８の先端間に連結され、着脱連結部６１を回転可能に支持する回転軸５９と、を備える。
【００３４】
支持台５２には、嵌合凸部５３として、支持台５２の上部から後方に向かって突設された第一嵌合凸部５４と、第一嵌合凸部５４の下方で支持台５２から後方に向かって突設された第二嵌合凸部５５と、を備える。第二嵌合凸部５５は、上下に二つずつ設けられている。また、第一嵌合凸部５４及び第二嵌合凸部５５は、支持基体１３１の溝付係合部１３７と対応して左右に二列に設けられている。
【００３５】
第一嵌合凸部５４は、支持台５２から後方に向かって突設された基部５６と、該基部５６の先端部より上下方向にそれぞれ延設された延設部５７と、を備える。
第一嵌合凸部５４の基部５６及び延設部５７は、支持基体１３１に設けられた第二溝部１３８に水平方向から挿入されるとともに、第二溝部１３８の内部にて上下方向への移動が可能であり、第二溝部１３８の開口部下端に第一嵌合凸部５４の基部５６の下端が係止されることにより、第一嵌合凸部５４は支持基体１３１と嵌合されている。
【００３６】
第二嵌合凸部５５は、支持台５２から後方に向かって突設された基部５６と、該基部５６の先端部より下方向に延設された延設部５７と、を備える。
第二嵌合凸部５５の基部５６及び延設部５７は、支持基体１３１に設けられた第二溝部１３８に水平方向から挿入されるとともに、第二溝部１３８の内部にて上下方向への移動が可能であり、第二溝部１３８の開口部下端に第二嵌合凸部５５の基部５６の下端が係止されることにより、第二嵌合凸部５５は支持基体１３１と嵌合されている。
【００３７】
突設部５８は、支持台５２の上下方向を向く二辺よりそれぞれ前方に突設され、先端に向かうに従って側面視して上下幅が狭くなるように形成されている。また、各突設部５８の先端部の対向する面には、それぞれ回転軸５９の端部が連結されている。
【００３８】
回転軸５９は、断面視して円形をなし、両端はそれぞれ突設部５８に取り付けられている。また、回転軸５９は上方より後述する上部カバー８１、下方より後述する下部カバー８２に嵌合されているとともに、回転軸５９を中心に上部カバー８１及び下部カバー８２は一体として上下方向に回転可能である。
【００３９】
着脱連結部６１は、回転軸５９が挿通される挿通部６２と、第二操作ハンドル部２４の把持部１４１が嵌合されるハンドル着脱部６３と、を備える。
【００４０】
着脱連結部６１は、上部カバー８１と下部カバー８２とが組みつけられて構成されている。上部カバー８１及び下部カバー８２には、挿通部６２と対応する凹部が形成されている。すなわち、上部カバー８１の下面の後側には左右方向に沿って設けられた断面視して上側に弧をなす半円の形状の凹部が形成されている。また、下部カバー８２の上面の後側には左右方向に沿って設けられた断面視して下側に弧をなす半円の形状の凹部が形成されている。そして、上部カバー８１と下部カバー８２を組みつけることにより、断面視して円形の挿通部６２が形成され、回転軸５９の形状と対応することとなる。
【００４１】
ハンドル着脱部６３は、第二操作ハンドル部２４の把持部１４１を嵌合する凹形状を有するハンドル嵌合本体６４と、上部カバー８１に取り付けられたスライド部６５と、下部カバー８２に取り付けられた抜け止め部７１と、を備える。
【００４２】
ハンドル嵌合本体６４は、上部カバー８１の下面の前側に左右方向に沿って設けられた、断面視して上側に弧をなす半円の第二カート２の把持部１４１に対応した形状である。また、ハンドル嵌合本体６４は、把持部１４１を上方より嵌合可能である。
【００４３】
スライド部６５は、上部カバー８１の上面に設けられた縦長の貫通孔６６と、該貫通孔６６に挿通されたスライド係合部６７と、スライド係合部６７を支持するスライド支持部６８と、スライド支持部６８の上端に設けられたスライドつまみ部６９と、を備える。
貫通孔６６は、上部カバー８１の上面に前後方向に沿って縦長に形成されている。該貫通孔６６にはスライド係合部６７が挿通され、スライド係合部６７を前後方向に移動可能としている。
スライド係合部６７は、上端にてスライド支持部６８に支持されるとともに、上部カバー８１の貫通孔６６に挿通され、下部にて後述する抜け止め凸部７４に係合されている。
スライド支持部６８は、上部カバー８１の上面に面して設けられるとともに、下端にてスライド係合部６７を支持している。
スライドつまみ部６９は、スライド支持部６８の上面から、左右方向に細長に突設されている。スライドつまみ部６９を前後方向に移動させれば、スライド係合部６７が貫通孔６６を前後方向に移動することにより、スライドつまみ部６９、スライド支持部６８及びスライド係合部６７を一体として前後方向に移動させることができる。
【００４４】
抜け止め部７１は、下部カバー８２の前端に形成された抜け止め凹部７２と、抜け止め凹部７２から前方に突設された抜け止め本体部７３と、抜け止め本体部７３の後部より上方に突設された抜け止め凸部７４と、を備える。
抜け止め凹部７２は、下部カバー８２の前端において凹形状に形成された切り欠きである。抜け止め凹部７２の上方には抜け止め本体部７３が前後方向に進退可能に配されている。
抜け止め本体部７３は、平面視して略矩形をなし、前部が抜け止め凹部７２より突出している。また、抜け止め本体部７３の後端にはバネ等の付勢手段（不図示）が設けられ、抜け止め本体部７３は前方側に付勢されている。
抜け止め凸部７４は、抜け止め本体部７３の後部より上方に突出するとともに、抜け止め凸部７４の前端部はスライド係合部６７の下部において後面と係合されている。
したがって、通常の状態では、バネ等の付勢手段により、抜け止め部７１は前方側に付勢されているので抜け止め本体部７３の前部は抜け止め凹部７２より突出しているとともに、抜け止め凸部７４に係合されたスライド係合部６７も前方側に位置している。すなわち、スライド係合部６７を構成要素とするスライド部６５自体が前方側に位置している。この状態では、ハンドル嵌合本体６４を第二カート２の第二操作ハンドル部２４の把持部１４１に上方より嵌合させると、抜け止め部７１の抜け止め本体部７３が抜け止め凹部７２より突出しているので、把持部１４１の下端と抜け止め本体部７３の前部の上端が係合することとなる。
そして、スライドつまみ部６９を後方側に移動させると、スライド係合部６７はスライドつまみ部６９と一体となっているので、スライド係合部６７が後方側に移動し、スライド係合部６７に係合されている抜け止め凸部７４も後方側に移動する。そして、抜け止め凸部７４と一体となっている抜け止め本体部７３も後方側に移動するので、抜け止め本体部７３は抜け止め凹部７２より突出せずに下部カバー８２の内部に納まることとなる。よって、把持部１４１と抜け止め本体部７３の係合が解除されることとなる。
【００４５】
次に、本実施形態のカートシステム１０１の作用について説明する。
このように構成されたカートシステム１０１では、第一カート１に備えられた第一天板１２は電子機器等の物品を載置可能であるので、執務者は、第一カート１で電子機器を用いて執務を行うことができる。また、第二カート２には、上下に複数の物品載置部２１が備えられているので、執務者は、それぞれの物品載置部２１に物品を載置し、運搬して執務を行うことができる。
また、両方の執務をする場合には、第一カート１に設けられた連結手段５である着脱連結部６１のハンドル嵌合本体６４を、第二カート２に設けられた第二操作ハンドル部２４の把持部１４１に上方より嵌合させれば、第一カート１と第二カート２を連結させて使用することができる。さらに、抜け止め本体部７３の前部が把持部１４１の下部に係合しているので、着脱連結部６１のハンドル嵌合本体６４が把持部１４１に嵌合した状態から上方へ脱した状態となってしまうことを規制することができる。
また、どちらか一方のみの執務をする場合には、第一カート１の上部カバー８１に設けられたスライド部６５のスライドつまみ部６９を後方側に移動させると、スライド係合部６７も後方側に移動するとともにスライド係合部６７と係合された抜け止め部７１の抜け止め凸部７４、及び抜け止め凸部７４と一体となっている抜け止め本体部７３も後方側に移動する。これにより、抜け止め本体部７３が抜け止め凹部７２より突出せずに下部カバー８２の内部に納まることとなる。そして、上部カバー８１及び下部カバー８２を連結基部５１に設けられた回転軸５９を中心に上側に回転させれば、ハンドル嵌合本体６４と把持部１４１の嵌合が解除されることにより連結手段５による連結が解除されるので、第一カート１又は第二カート２を単独で使用することができる。
よって、執務者の用途に応じて使用態様の変更を可能としつつ、執務者の使い勝手を良好にすることができる。
また、前述の連結手段５による連結を解除すれば、移動しながら電子機器を使用する際に、第一カート１を単独で使用することで、物品載置部２１を有する第二カート２を切り離して、コンパクトな使用形態で電子機器を使用することができる。また、物品を搬送する際に、第二カート２を単独で使用することで、電子機器を載置する第一天板１２を有する第一カート１を切り離して、コンパクトな使用形態で物品を搬送することができる。
【００４６】
（第二実施形態）
以下、本発明の第二実施形態について説明する。
この実施形態において、前述した実施形態で用いた部材と共通の部材には同一の符号を付して、その説明を省略する。
【００４７】
図７及び図８に示すように、本実施形態では、第二カート２Ｓは、物品を載置可能とし、上下に複数設けられた物品載置部２１Ｓと、該複数の物品載置部２１Ｓを収容する収納部２２Ｓと、該収納部２２Ｓの下部に取り付けられた第二キャスター２３と、収納部２２Ｓの上方に設けられた第二操作ハンドル部２４Ｓと、を備える。
【００４８】
収納部２２Ｓは、略矩形の四枚の面材が上側、下側、前側、及び後側のそれぞれを囲むように組み合わされて構成され、左右方向に開口を有するとともに内部に複数の物品載置部２１Ｓを収容している。また、収納部２２Ｓの下側の面材の下面には、複数の第二キャスター２３が取り付けられている。
【００４９】
物品載置部２１Ｓは、前壁、後壁、左壁、右壁、及び底面の五面から構成されて、上方が開放されたトレイである。また、複数の該物品載置部２１Ｓは、収納部２２Ｓの内部にて上下方向に沿って配されている。
【００５０】
第二操作ハンドル部２４Ｓは、平面視して略矩形枠状の把持部１４１Ｓと、該把持部１４１Ｓを収納部２２Ｓの上面に固定する連結部１４２Ｓと、を備える。
把持部１４１Ｓの前部は収納部２２Ｓの前部の直上にあり、把持部１４１Ｓの後部は収納部２２Ｓの後部より後方に張り出している。
連結部１４２Ｓは、収納部２２Ｓの上面の右縁の前後方向に複数箇所及び左縁の前後方向に複数箇所設けられ、把持部１４１Ｓと収納部２２Ｓ上面とを固定している。
【００５１】
（連結手段５Ｓ）
本実施形態では、連結手段５Ｓとして、第二カート２Ｓに取り付けられるとともに、第一カート１の支持基体１３１に着脱可能に嵌合されるハンドル嵌合部６Ｓを有する。ハンドル嵌合部６Ｓは、第二カート２Ｓの第二操作ハンドル部２４Ｓに嵌合される連結基部５１Ｓと、連結基部５１Ｓに回転可能に取り付けられ第一カート１の支持基体１３１に着脱可能に嵌合される着脱連結部６１Ｓと、を備える。
【００５２】
図９に示すように、連結基部５１Ｓは、第二操作ハンドル部２４Ｓの把持部１４１Ｓに取り付けられる支持台５２Ｓと、支持台５２Ｓに設けられて、着脱連結部６１Ｓを回転可能に支持する回転軸５９Ｓと、支持台５２Ｓに設けられて、着脱連結部６１Ｓを着脱可能に係合する係合凸部６６Ｓと、を備える。また、支持台５２Ｓには、第二操作ハンドル部２４Ｓの把持部１４１Ｓが挿通される貫通孔であるハンドル挿通部５３Ｓが設けられている。
【００５３】
回転軸５９Ｓは、支持台５２Ｓの後部において左右方向一方側となる右縁部に設けられ、上下方向に沿う軸回りに、着脱連結部６１Ｓを回転可能に支持している。
【００５４】
係合凸部６６Ｓは、支持台５２Ｓにおいて回転軸５９Ｓが設けられた側と反対側の端部から、回転軸５９Ｓと反対側に向けて突出して設けられている。
【００５５】
着脱連結部６１Ｓは、第一カート１の支持基体１３１を嵌合する凹形状を有するとともに、係合凸部６６Ｓと係合する被係合部６７Ｓと、回転軸５９Ｓを嵌合する回転軸挿通部７０Ｓと、着脱連結部６１Ｓを回転軸５９Ｓ回りに回転させる操作を行う操作部６４Ｓと、を備える。
また、着脱連結部６１Ｓは、支持基体１３１の右面、後面及び左面の三面を囲むように面材で形成された凹形状である。第一カート１の支持基体１３１の前面を第二カート２Ｓの連結基部５１Ｓの支持台５２Ｓの後面が囲い、支持基体１３１の右面、後面及び左面を着脱連結部６１Ｓが囲むことにより、支持基体１３１はハンドル嵌合部６Ｓに嵌合される。
【００５６】
回転軸挿通部７０Ｓは、回転軸５９Ｓの形状に対応して着脱連結部６１Ｓの回転軸５９Ｓが設けられた側の端部に施された上下方向の貫通孔である。そして、回転軸挿通部７０Ｓには、回転軸５９Ｓが上下方向に挿通されている。
【００５７】
操作部６４Ｓは、着脱連結部６１Ｓの後面より後方に突出する凸部である。当該操作部６４Ｓをつまんで操作することで、着脱連結部６１Ｓを回転させることが可能となっている。
【００５８】
被係合部６７Ｓは、着脱連結部６１Ｓにおいて回転軸５９Ｓが設けられた側と反対側の端部から、回転軸５９Ｓが設けられた側に向けて突出して設けられ、支持基体１３１を嵌合させて連結させた状態で、係合凸部６６Ｓに係合され後方へ向けて回転することが規制されている。
ここで、被係合部６７Ｓにおいて、係合凸部６６Ｓと係合された状態で係合凸部６６Ｓと当接する係合面６９Ｓと反対側には、被係合部６７Ｓの先端から基端にいくに従って次第に係合面６９Ｓから離間するように傾斜した傾斜面６８Ｓが形成されている。
また、被係合部６７Ｓは弾性変形が可能であるので、操作部６４Ｓに後向きの力を加えると、被係合部６７Ｓが着脱連結部６１Ｓの外面に沿って前向きに変形し、係合面６９Ｓが係合凸部６６Ｓに対して相対的に後方向に移動可能である。このため、操作部６４Ｓに後向きの力を加えて着脱連結部６１Ｓを回転させることで被係合部６７Ｓと係合凸部６６Ｓとの係合を解除し、支持基体１３１とハンドル嵌合部６Ｓの嵌合を解除することが可能である。
【００５９】
逆に、支持基体１３１とハンドル嵌合部６Ｓの嵌合が解除された状態から、操作部６４Ｓに前向きの力を加えると、被係合部６７Ｓの傾斜面６８Ｓと係合凸部６６Ｓとが接触し、さらに力を加えると、被係合部６７Ｓが弾性変形することで、被係合部６７Ｓが着脱連結部６１Ｓの内面に沿って後向きに変形し、傾斜面６８Ｓが係合凸部６６Ｓに対して相対的に前方向に移動可能である。そして、さらに力を加えると、係合面６９Ｓと係合凸部６６Ｓの前面が係合し、支持基体１３１とハンドル嵌合部６Ｓを嵌合させることが可能である。
また、嵌合され、第一カート１と第二カート２Ｓが連結された状態において、第二カート２Ｓの高さは、第一カート１の第一天板１２の下面の高さより低くなっている。
【００６０】
次に、本実施形態のカートシステム１０１Ｓの作用について説明する。
このように構成されたカートシステム１０１Ｓでは、第一カート１に備えられた第一天板１２は電子機器等の物品を載置可能であるので、執務者は、第一カート１で電子機器を用いて執務を行うことができる。また、第二カート２Ｓには、上下に複数の物品載置部２１Ｓが備えられているので、執務者は、それぞれの物品載置部２１Ｓに物品を載置し、運搬して執務を行うことができる。
また、両方の執務をする場合には、第二カート２Ｓに設けられた連結手段５Ｓであるハンドル嵌合部６Ｓを、第一カート１に設けられた支持基体１３１に水平方向から嵌合させれば、第一カート１と第二カート２Ｓを連結させて使用することができる。さらに、被係合部６７Ｓの係合面６９Ｓと係合凸部６６Ｓとが係合しているので、着脱連結部６１Ｓが回転軸５９Ｓを中心に後方に回転するのを規制することができ、支持基体１３１とハンドル嵌合部６Ｓを確実に嵌合することが可能となる。
また、どちらか一方のみの執務をする場合には、第二カート２Ｓの着脱連結部６１Ｓに設けられた操作部６４Ｓをつまんで操作すると、着脱連結部６１Ｓを回転軸５９Ｓ回りに回転させることができる。操作部６４Ｓに後向きの力を加えると、被係合部６７Ｓが着脱連結部６１Ｓの外面に沿って前向きに変形し、係合面６９Ｓが係合凸部６６Ｓに対して相対的に後方向に移動する。そして、被係合部６７Ｓと係合凸部６６Ｓの係合が解除され、支持基体１３１とハンドル嵌合部６Ｓの嵌合は解除されることにより連結手段５Ｓによる連結が解除されるので、第一カート１又は第二カート２Ｓを単独で使用することができる。
よって、執務者の用途に応じて使用態様の変更を可能としつつ、執務者の使い勝手を良好にすることができる。
また、前述の連結手段５Ｓによる連結を解除すれば、移動しながら電子機器を使用する際に、第一カート１を単独で使用することで、物品載置部２１Ｓを有する第二カート２Ｓを切り離して、コンパクトな使用形態で電子機器を使用することができる。また、物品を搬送する際に、第二カート２Ｓを単独で使用することで、電子機器を載置する第一天板１２を有する第一カート１を切り離して、コンパクトな使用形態で物品を搬送することができる。
また、嵌合され、第一カート１と第二カート２Ｓが連結された状態で、第二カート２Ｓの高さは、第一カート１の第一天板１２の下面の高さより低くなっているので、第一カート１の第一天板１２上に載置した電子機器を使用することができるので、執務者の使い勝手を良好にすることができる。
【００６１】
（第三実施形態）
以下、本発明の第三実施形態について説明する。
この実施形態において、前述した実施形態で用いた部材と共通の部材には同一の符号を付して、その説明を省略する。
【００６２】
（第二カート２Ｔ）
図１０及び図１１に示すように、本実施形態では、第二カート２Ｔは、物品を載置可能とし上下に複数設けられた物品載置部２１Ｔと、床面上を走行可能な複数の第二キャスター２３が設けられた第二ベース部２５Ｔと、第二ベース部２５Ｔに設けられ、物品載置部２１Ｔのそれぞれを左右両側及び下方より支持する複数の第二支持部２２Ｔと、左右両側の第二支持部２２Ｔを連結し把持可能な第二操作ハンドル部２４Ｔと、を備える。
【００６３】
物品載置部２１Ｔは、略矩形をなした板状であり、第二支持部２２Ｔの上端と、第二支持部２２Ｔの上下方向略中央とで、それぞれ第二支持部２２Ｔに固定されている。上部の物品載置部２１Ｔは第二支持部２２Ｔにより下方から支持され、中央部の物品載置部２１Ｔは第二支持部２２Ｔにより左右方向から支持されている。
【００６４】
第二ベース部２５Ｔは、前後方向に配された２本の脚杆２６Ｔと、各脚杆２６Ｔの前後方向略中央において互いに連結する下側ビーム２７Ｔと、各脚杆２６Ｔの先端に設けられた第二キャスター２３と、を備える。
【００６５】
第二支持部２２Ｔは、各脚杆２６Ｔの前後方向略中央より立設している。また、第二支持部２２Ｔの上端は上部の物品載置部２１Ｔを支持し、各第二支持部２２Ｔの上下方向略中央の左右方向の内面はそれぞれ中央部の物品載置部２１Ｔを支持し、各第二支持部２２Ｔの上部と中央部の間の略中央部２８Ｔの左右方向の外面はそれぞれ第二操作ハンドル部２４Ｔを支持している。
【００６６】
第二操作ハンドル部２４Ｔは、平面視して略矩形枠状をなし、前後方向の略中央部２８Ｔにおいて、各第二支持部２２Ｔの側面に、左右方向に沿う回転軸回りに回転可能に支持されている。
【００６７】
（連結手段５Ｔ）
本実施形態では、連結手段５Ｔとして、第一カート１に取り付けられるとともに、第二カート２Ｔの第二操作ハンドル部２４Ｔに着脱可能に嵌合されるハンドル嵌合部６Ｔを有する。
【００６８】
ハンドル嵌合部６Ｔは、第一カート１の支持基体１３１に取り付けられた取付部５１Ｔと、取付部５１Ｔより延設され、第二操作ハンドル部２４Ｔと着脱可能に嵌合されるハンドル着脱部５２Ｔと、を備える。
【００６９】
取付部５１Ｔは、第一カート１の支持基体１３１の前面に面して設けられた略矩形の面材であり、例えば接着剤等の接着部材により支持基体１３１に取り付けられている。
【００７０】
ハンドル着脱部５２Ｔは、取付部５１Ｔの下端より前方に向かって突設されているとともに、端部は第二操作ハンドル部２４Ｔの形状に対応して曲面をなして上方に突設されている。また、第二操作ハンドル部２４Ｔを、略中央部２８Ｔを中心に回転させれば、第二操作ハンドル部２４Ｔをハンドル着脱部５２Ｔの上方より嵌合し、また嵌合した状態から上方に向けて取り外すことが可能である。
また、嵌合され、第一カート１と第二カート２Ｔが連結された状態において、第二カート２Ｔの高さは、第一カート１の第一天板１２の下面の高さより低くなっている。
【００７１】
次に、本実施形態のカートシステム１０１Ｔの作用について説明する。
このように構成されたカートシステム１０１Ｔでは、第一カート１に備えられた第一天板１２は電子機器等の物品を載置可能であるので、執務者は、第一カート１で電子機器を用いて執務を行うことができる。また、第二カート２Ｔには、上下に複数の物品載置部２１Ｔが備えられているので、執務者は、それぞれの物品載置部２１Ｔに物品を載置し、運搬して執務を行うことができる。
また、両方の執務をする場合には、第二カート２Ｔに設けられた第二操作ハンドル部２４Ｔを、第一カート１に設けられた連結手段５Ｔであるハンドル嵌合部６Ｔのハンドル着脱部５２Ｔに嵌合させれば、第一カート１と第二カート２Ｔを連結させて使用することができる。さらに、ハンドル着脱部５２Ｔの端部は第二操作ハンドル部２４Ｔの形状に対応して曲面をなして上方に突設されているので、第二操作ハンドル部２４Ｔがハンドル着脱部５２Ｔに嵌合された状態から、第二操作ハンドル部２４Ｔのみが前後方向に移動してしまうことを規制することができる。
また、どちらか一方のみの執務をする場合には、第二カート２Ｔの第二操作ハンドル部２４Ｔをハンドル着脱部５２Ｔから上方に向けて取り外せば嵌合は解除され、連結手段５Ｔによる連結が解除されるので、第一カート１又は第二カート２Ｔを単独で使用することができる。
よって、執務者の用途に応じて使用態様の変更を可能としつつ、執務者の使い勝手を良好にすることができる。
また、前述の連結手段５Ｔによる連結を解除すれば、移動しながら電子機器を使用する際に、第一カート１を単独で使用することで、物品載置部２１Ｔを有する第二カート２Ｔを切り離して、コンパクトな使用形態で電子機器を使用することができる。また、物品を搬送する際に、第二カート２Ｔを単独で使用することで、電子機器を載置する第一天板１２を有する第一カート１を切り離して、コンパクトな使用形態で物品を搬送することができる。
また、嵌合され、第一カート１と第二カート２Ｔを連結させた状態で、第二カート２Ｔの高さは、第一カート１の第一天板１２の下面の高さより低くなっているので、第一カート１の第一天板１２上に載置した電子機器を使用することができるので、執務者の使い勝手を良好にすることができる。
【００７２】
（第四実施形態）
以下、本発明の第四実施形態について説明する。
この実施形態において、前述した実施形態で用いた部材と共通の部材には同一の符号を付して、その説明を省略する。
【００７３】
（第二カート２Ｕ）
図１２及び図１３に示すように、本実施形態では、第二カート２Ｕは、床面上を走行可能な複数の第二キャスター２３が設けられた第二ベース部２５Ｕと、第二ベース部２５Ｕに設けられ、物品載置部２１Ｕを前後両側より支持する複数の第二支持部２２Ｕと、第二支持部２２Ｕにより前後方向に支持され、物品を載置可能な複数の物品載置部２１Ｕと、第二支持部２２Ｕにより下方より支持され、物品を載置可能な第二天板２８Ｕと、第二支持部２２Ｕに設けられ、把持可能な第二操作ハンドル部２４Ｕと、を備える。
【００７４】
第二ベース部２５Ｕは、左右方向に配された２本の脚杆２６Ｕと、各脚杆２６Ｕの左右方向略中央において互いに連結する下側ビーム２７Ｕと、各脚杆２６Ｕの先端に設けられた第二キャスター２３と、を備える。
【００７５】
第二支持部２２Ｕは、各脚杆２６Ｕの左右方向略中央より立設している。また、第二支持部２２Ｕの上面は第二天板２８Ｕを支持し、各第二支持部２２Ｕの対向する面は複数の物品載置部２１Ｕを支持している。
【００７６】
物品載置部２１Ｕは、前壁、後壁、左壁、右壁、及び底面の五面から構成されて、上方が開放されたトレイである。また、上下方向に配された複数の物品載置部２１Ｕは、それぞれ前後方向より第二支持部２２Ｕに固定されている。
【００７７】
第二天板２８Ｕは、略矩形の板状であり、第二支持部２２Ｕに下方から支持されている。
【００７８】
第二操作ハンドル部２４Ｕは、前後それぞれに設けられ、各第二支持部２２Ｕに取り付けられている。すなわち、第二操作ハンドル部２４Ｕは、左右方向に沿って配設され把持可能な把持部１４１Ｕと、把持部１４１Ｕの両端に設けられ、第二支持部２２Ｕに取り付けられた連結部１４２Ｕと、を有する。
【００７９】
（連結手段５Ｕ）
本実施形態では、連結手段５Ｕとして、第一カート１に取り付けられるとともに、第二カート２Ｕの第二操作ハンドル部２４Ｕに着脱可能に嵌合されるハンドル嵌合部６Ｕを有する。
【００８０】
ハンドル嵌合部６Ｕは、第一カート１の支持基体１３１に取り付けられた取付部５１Ｕと、取付部５１Ｕより延設され、第二操作ハンドル部２４Ｕの把持部１４１Ｕと着脱可能に嵌合されるハンドル着脱部５２Ｕと、を備える。
【００８１】
取付部５１Ｕは、第一カート１の支持基体１３１の前面に面して設けられた略矩形の面材であり、例えば接着剤等の接着部材により支持基体１３１に取り付けられている。
【００８２】
ハンドル着脱部５２Ｕは、取付部５１Ｕの上端より前方に向かって突設されているとともに、端部は第二操作ハンドル部２４Ｕの把持部１４１Ｕの形状に対応して曲面をなして下方に突設されている。また、第一カート１を少し持ち上げて、ハンドル嵌合部６Ｕを把持部１４１Ｕの上方より下方に移動させれば、ハンドル着脱部５２Ｕと把持部１４１Ｕを嵌合し、また嵌合した状態から第一カート１を少し持ち上げて取り外すことが可能である。
【００８３】
次に、本実施形態のカートシステム１０１Ｕの作用について説明する。
このように構成されたカートシステム１０１Ｕでは、第一カート１に備えられた第一天板１２は電子機器等の物品を載置可能であるので、執務者は、第一カート１で電子機器を用いて執務を行うことができる。また、第二カート２Ｕには、上下に複数の物品載置部２１Ｕが備えられているので、執務者は、それぞれの物品載置部２１Ｕに物品を載置し、運搬して執務を行うことができる。
また、両方の執務をする場合には、第二カート２Ｕに設けられた第二操作ハンドル部２４Ｕを、第一カート１に設けられた連結手段５Ｕであるハンドル嵌合部６Ｕのハンドル着脱部５２Ｕに嵌合させれば、第一カート１と第二カート２Ｕを連結させて使用することができる。さらに、ハンドル着脱部５２Ｕの端部は第二操作ハンドル部２４Ｕの形状に対応して曲面をなして下方に突設されているので、第二操作ハンドル部２４Ｕがハンドル着脱部５２Ｕに嵌合された状態から、第二操作ハンドル部２４Ｕのみが前後方向に移動してしまうことを規制することができる。
また、どちらか一方のみの執務をする場合には、第一カート１を少し持ち上げれば嵌合は解除され、連結手段５Ｕによる連結が解除されるので、第一カート１又は第二カート２Ｕを単独で使用することができる。
よって、執務者の用途に応じて使用態様の変更を可能としつつ、執務者の使い勝手を良好にすることができる。
また、前述の連結手段５Ｕによる連結を解除すれば、移動しながら電子機器を使用する際に、第一カート１を単独で使用することで、物品載置部２１Ｕを有する第二カート２Ｕを切り離して、コンパクトな使用形態で電子機器を使用することができる。また、物品を搬送する際に、第二カート２Ｕを単独で使用することで、電子機器を載置する第一天板１２を有する第一カート１を切り離して、コンパクトな使用形態で物品を搬送することができる。
【００８４】
（第五実施形態）
以下、本発明の第五実施形態について説明する。
この実施形態において、前述した実施形態で用いた部材と共通の部材には同一の符号を付して、その説明を省略する。
【００８５】
（第二カート２Ｖ）
図１４及び図１５に示すように、本実施形態では、第二カート２Ｖは、床面上を走行可能な複数の第二キャスター２３が設けられた第二ベース部２５Ｖと、第二ベース部２５Ｖに設けられ、物品載置部２１Ｖを支持する第二支持部２２Ｖと、第二支持部２２Ｖに支持され、物品を載置可能な複数の物品載置部２１Ｖと、を備える。
【００８６】
第二ベース部２５Ｖは、複数の第二キャスター２３と、各第二キャスター２３の上端部を連結する脚杆２６Ｖと、を備える。本実施形態では、第二キャスター２３は３個設けられ、そのうちの２個は、前方において左右方向に配される第二前方キャスター１２３Ｖであり、残りの１個は、第二前方キャスター１２３Ｖを結んだ線の中央部を通り水平方向に直交する線上であって後方に配される第二後方キャスター１２４Ｖである。また、脚杆２６Ｖのうち１本は、前方において左右方向に配され、残りの２本は、後方に向かって互いに近づいて配されるとともに互いに端部を重ねている。
【００８７】
第二支持部２２Ｖは、前方に配される２個の第二キャスター２３よりそれぞれ上方に延設される支持杆１２１Ｖと、該支持杆１２１Ｖから後方に片持ち状に延設される左右一対の梁材１２２Ｖと、を備える。左右一対の梁材１２２Ｖは後方に向かって互いに近づいて配されるとともに互いに端部を重ねているとともに、上部にて物品載置部２１Ｖを支持している。
【００８８】
物品載置部２１Ｖは、略矩形をなし、上下方向に複数設けられ、梁材１２２Ｖに支持されている。
【００８９】
（連結手段５Ｖ）
本実施形態では、連結手段５Ｖとして、第二カート２Ｖに取り付けられるとともに、第一カート１の第一ベース部１１に下方より着脱可能に係合するベース係合部７Ｖを有する。
【００９０】
ベース係合部７Ｖは、第二後方キャスター１２４Ｖの上部より後方に延設される延設部５１Ｖと、該延設部５１Ｖの先端部に設けられ、第一ベース部１１と着脱可能に係合される係合部５２Ｖと、を備える。
【００９１】
係合部５２Ｖは、延設部５１Ｖの先端部に設けられ、上方且つ後方に突出している。また、係合部５２Ｖの基部には上方に立ち上がる立上り面５３Ｖが設けられ、後方にいくに従って立上り高さを低くするように形成されている。また、立上り面５３Ｖの上端から、係合部５２Ｖの先端に向かって下向きに傾斜する傾斜面５４Ｖが形成されている。
また、第一カート１を第二カート２Ｖに近づけると、第一カート１の第一ベース部１１と係合部５２Ｖが当接し、第一ベース部１１が傾斜面５４Ｖに沿って前方に移動する。さらに第一カート１を近づけると、第一ベース部１１が立上り面５３Ｖに沿って下方に移動し、第一ベース部１１の下部とベース係合部７Ｖの延設部５１Ｖの上部が当接する。そして、延設部５１Ｖ自体の弾性により、第一ベース部１１には延設部５１Ｖより上方向きの力が作用し、第一ベース部１１と延設部５１Ｖ及び係合部５２Ｖの立上り面５３Ｖは係合される。また、係合された状態から、係合部５２Ｖの傾斜面５４Ｖを足で踏んで下向きの力を加えると、取り外すことが可能である。
また、係合され、第一カート１と第二カート２Ｖが連結された状態において、第二カート２Ｖの高さは、第一カート１の第一天板１２の下面の高さより低くなっている。
また、第一カート１と第二カート２Ｖが連結された状態において、第二カート２Ｖの物品載置部２１Ｖ、第二ベース部２５Ｖの脚杆２６Ｖ及び第二後方キャスター１２４Ｖは、第一カート１の第一天板１２の直下に配設されている。
また、第一カート１は、第一ベース部１１、第一支持部１３及び第一天板１２に囲まれるようにして、前方、左方及び右方に連続して開口する前部空間１０が形成されている。そして、第一カート１と第二カート２Ｖが連結された状態において、第二カート２Ｖの物品載置部２１Ｖは前部空間１０に配設されている。
【００９２】
次に、本実施形態のカートシステム１０１Ｖの作用について説明する。
このように構成されたカートシステム１０１Ｖでは、第一カート１に備えられた第一天板１２は電子機器等の物品を載置可能であるので、執務者は、第一カート１で電子機器を用いて執務を行うことができる。また、第二カート２Ｖには、上下に複数の物品載置部２１Ｖが備えられているので、執務者は、それぞれの物品載置部２１Ｖに物品を載置し、運搬して執務を行うことができる。
また、両方の執務をする場合には、第一カート１を第二カート２Ｖに近づけて、第一ベース部１１を傾斜面５４Ｖに沿って前方に移動させれば、第一ベース部１１と第二カート２Ｖの連結手段５Ｖであるベース係合部７Ｖの延設部５１Ｖを係合し、第一カート１と第二カート２Ｖを連結させて使用することができる。さらに、係合部５２Ｖには立上り面５３Ｖが設けられており、該立上り面５３Ｖと第一ベース部１１と係合されることにより、第一カート１のみが前後方向に移動してしまうことを規制することができる。
また、どちらか一方のみの執務をする場合には、傾斜面５４Ｖを足で踏んで下向きの力を加えると係合は解除され、連結手段５Ｖによる連結が解除されるので、第一カート１又は第二カート２Ｖを単独で使用することができる。
よって、執務者の用途に応じて使用態様の変更を可能としつつ、執務者の使い勝手を良好にすることができる。
また、前述の連結手段５Ｖによる連結を解除すれば、移動しながら電子機器を使用する際に、第一カート１を単独で使用することで、物品載置部２１Ｖを有する第二カート２Ｖを切り離して、コンパクトな使用形態で電子機器を使用することができる。また、物品を搬送する際に、第二カート２Ｖを単独で使用することで、電子機器を載置する第一天板１２を有する第一カート１を切り離して、コンパクトな使用形態で物品を搬送することができる。
また、係合され、第一カート１と第二カート２Ｖを連結させた状態で、第二カート２Ｖの高さは、第一カート１の第一天板１２の下面の高さより低くなっているので、第一カート１の第一天板１２上に載置した電子機器を使用することができるので、執務者の使い勝手を良好にすることができる。
また、第一カート１と第二カート２Ｖを連結させた状態で、第二カート２Ｖの物品載置部２１Ｖ、第二ベース部２５Ｖの脚杆２６Ｖ及び第二後方キャスター１２４Ｖは、第一カート１の第一天板１２の直下に配設されている。よって、カートシステム１０１Ｖ全体としてコンパクトな形状とすることができる。
また、第一カート１は、第一ベース部１１、第一支持部１３及び第一天板１２に囲まれるようにして、前方、左方及び右方に連続して開口する前部空間１０が形成されている。そして、第一カート１と第二カート２Ｖを連結させた状態で、第二カート２Ｖの物品載置部２１Ｖは前部空間１０に配設されているので、カートシステム１０１Ｖ全体としてコンパクトな形状とすることができる。
【００９３】
（第６実施形態）
以下、本発明の第六実施形態について説明する。
この実施形態において、前述した実施形態で用いた部材と共通の部材には同一の符号を付して、その説明を省略する。
【００９４】
（第二カート２Ｗ）
図１６及び図１７に示すように、本実施形態では、第二カート２Ｗは、床面上を走行可能な複数の第二キャスター２３が設けられた第二ベース部２５Ｗと、第二ベース部２５Ｗに設けられ、物品載置部２１Ｗを支持する第二支持部２２Ｗと、第二支持部２２Ｗに支持され、物品を載置可能な複数の物品載置部２１Ｗと、を備える。
【００９５】
第二支持部２２Ｗは、上下方向に沿って配設され前後方向に対をなして設けられた一対の支持杆１２１Ｗと、一対の支持杆１２１Ｗ同士の上端を前後方向に連結する連結杆１２２Ｗと、を備える。前方の支持杆１２１Ｗの下端にはそれぞれ第二キャスター２３が設けられ、後方の支持杆１２１Ｗの下端には支持梁２６Ｗが設けられている。支持杆１２１Ｗ及び連結杆１２２Ｗは断面視して円形をなし、支持杆１２１Ｗと連結杆１２２Ｗの連結箇所は、曲線状に屈曲している。
【００９６】
第二ベース部２５Ｗは、複数の第二キャスター２３と、支持杆１２１Ｗの下部より後方に配され、第二キャスター２３が取り付けられた支持梁２６Ｗと、を備える。
本実施形態では、複数の第二キャスター２３は、前方の左右に配された第二キャスター２３と、後方の左右に配された第二キャスター２３と、を有する。
支持梁２６Ｗは、第二支持部２２Ｗの下部より後方に配され、先端部において第二キャスター２３が取り付けられている。
【００９７】
物品載置部２１Ｗは、略矩形をなした板状であり、支持杆１２１Ｗの上端と、下端と、支持杆１２１Ｗの上下方向略中央とで、それぞれ支持杆１２１Ｗに固定されている。
【００９８】
（連結手段５Ｗ）
本実施形態では、連結手段５Ｗとして、第二カート２Ｗに取り付けられるとともに、第一カート１の第一ベース部１１に下方より着脱可能に係合するベース係合部７Ｗを有する。
【００９９】
ベース係合部７Ｗは、下部の物品載置部２１Ｗの下方に設けられた支持台５０Ｗと、該支持台５０Ｗの下面より後方に延設される延設部５１Ｗと、該延設部５１Ｗの端部より上方に突出し、第一ベース部１１と着脱可能に係合される係合部５２Ｗと、を備える。
【０１００】
支持台５０Ｗは、略矩形をなした板状であり、下部の物品載置部２１Ｗの下方に設けられ、支持杆１２１Ｗに固定されている。
【０１０１】
係合部５２Ｗは、延設部５１Ｗの先端部から上方へ向けて湾曲し鉤状の曲面５４Ｗが形成されている。また、係合部５２Ｗの先端部は左右方向に沿った端面５３Ｗが設けられている。
また、第一カート１を第二カート２Ｗに近づけると、第一カート１の第一ベース部１１と係合部５２Ｗが当接し、第一ベース部１１が曲面５４Ｗに沿って前方に移動する。さらに第一カート１を近づけると、第一ベース部１１が端面５３Ｗに沿って下方に移動し、第一ベース部１１の下部とベース係合部７Ｖの延設部５１Ｗの上部が当接する。そして、延設部５１Ｗ自体の弾性により、第一ベース部１１には延設部５１Ｗより上方向きの力が作用し、第一ベース部１１と延設部５１Ｗ及び係合部５２Ｗの曲面５４Ｗは係合される。また、係合された状態から、係合部５２Ｗの曲面５４Ｗを足で踏んで下向きの力を加えると、取り外すことが可能である。
また、係合され、第一カート１と第二カート２Ｗが連結された状態において、第二カート２Ｗの高さは、第一カート１の第一天板１２の下面の高さより低くなっている。
また、第一カート１と第二カート２Ｗが連結された状態において、第二カート２Ｗの物品載置部２１Ｗ、第二ベース部２５Ｗの支持梁２６Ｗ及び支持梁２６Ｗに取り付けられた第二キャスター２３は、第一カート１の第一天板１２の直下に配設されている。
また、第一カート１は、第一ベース部１１、第一支持部１３及び第一天板１２に囲まれるようにして、前方、左方及び右方に連続して開口する前部空間１０が形成されている。そして、第一カート１と第二カート２Ｗが連結された状態において、第二カート２Ｗの物品載置部２１Ｗは前部空間１０に配設されている。
【０１０２】
次に、本実施形態のカートシステム１０１Ｗの作用について説明する。
このように構成されたカートシステム１０１Ｗでは、第一カート１に備えられた第一天板１２は電子機器等の物品を載置可能であるので、執務者は、第一カート１で電子機器を用いて執務を行うことができる。また、第二カート２Ｗには、上下に複数の物品載置部２１Ｗが備えられているので、執務者は、それぞれの物品載置部２１Ｗに物品を載置し、運搬して執務を行うことができる。
また、両方の執務をする場合には、第一カート１を第二カート２Ｗに近づけて、第一ベース部１１を曲面５４Ｗに沿って前方に移動させれば、第一ベース部１１と第二カート２Ｗの連結手段５Ｗであるベース係合部７Ｗの延設部５１Ｗを係合し、第一カート１と第二カート２Ｗを連結させて使用することができる。さらに、係合部５２Ｗには端面５３Ｗが設けられており、該端面５３Ｗと第一ベース部１１と係合されることにより、第一カート１のみが前後方向に移動してしまうことを規制することができる。
また、どちらか一方のみの執務をする場合には、曲面５４Ｗを足で踏んで下向きの力を加えると係合は解除され、連結手段５Ｗによる連結が解除されるので、第一カート１又は第二カート２Ｗを単独で使用することができる。
よって、執務者の用途に応じて使用態様の変更を可能としつつ、執務者の使い勝手を良好にすることができる。
また、前述の連結手段５Ｗによる連結を解除すれば、移動しながら電子機器を使用する際に、第一カート１を単独で使用することで、物品載置部２１Ｗを有する第二カート２Ｗを切り離して、コンパクトな使用形態で電子機器を使用することができる。また、物品を搬送する際に、第二カート２Ｗを単独で使用することで、電子機器を載置する第一天板１２を有する第一カート１を切り離して、コンパクトな使用形態で物品を搬送することができる。
また、係合され、第一カート１と第二カート２Ｗが連結された状態において、第二カート２Ｗの高さは、第一カート１の第一天板１２の下面の高さより低くなっているので、第一カート１の第一天板１２上に載置した電子機器を使用することができるので、執務者の使い勝手を良好にすることができる。
また、第一カート１と第二カート２Ｗが連結された状態において、第二カート２Ｗの物品載置部２１Ｗ、第二ベース部２５Ｗの支持梁２６Ｗ及び支持梁２６Ｗに取り付けられた第二キャスター２３は、第一カート１の第一天板１２の直下に配設されている。よって、カートシステム１０１Ｗ全体としてコンパクトな形状とすることができる。
また、第一カート１は、第一ベース部１１、第一支持部１３及び第一天板１２に囲まれるようにして、前方、左方及び右方に連続して開口する前部空間１０が形成されている。そして、第一カート１と第二カート２Ｗが連結された状態において、第二カート２Ｗの物品載置部２１Ｗは前部空間１０に配設されているので、カートシステム１０１Ｗ全体としてコンパクトな形状とすることができる。
【０１０３】
（第７実施形態）
以下、本発明の第七実施形態について説明する。
この実施形態において、前述した実施形態で用いた部材と共通の部材には同一の符号を付して、その説明を省略する。
【０１０４】
（第二カート２Ｘ）
図１８に示すように、本実施形態では、第二カート２Ｘは、物品を載置可能とし上下に複数設けられた物品載置部２１Ｘと、物品載置部２１Ｘのそれぞれを左右両側で支持する複数の第二支持部２２Ｘと、各第二支持部２２Ｘに取り付けられた第二キャスター２３と、を備える。
【０１０５】
第二支持部２２Ｘは、上下方向に沿って配設され前後方向に対をなして設けられた一対の支持杆１２１Ｘを備える。また、支持杆１２１Ｘの下端にはそれぞれ第二キャスター２３が設けられている。
【０１０６】
物品載置部２１Ｘは、略矩形をなした板状であり、支持杆１２１Ｘの上端と、下端と、支持杆１２１Ｘの上下方向略中央とで、それぞれ支持杆１２１Ｘに固定されている。
【０１０７】
（連結手段５Ｘ）
本実施形態では、連結手段５Ｘとして、第二カート２Ｘに取り付けられるとともに、第一カート１の第一ベース部１１に下方より着脱可能に係合するベース係合部７Ｘを有する。
【０１０８】
ベース係合部７Ｘは、下部の物品載置部２１Ｘの下面より後方に延設される延設部５１Ｘと、該延設部５１Ｘの端部より上方に突出し、第一ベース部１１と着脱可能に係合される係合部５２Ｘと、を備える。
【０１０９】
係合部５２Ｘは、延設部５１Ｘの先端部に設けられ、上方且つ後方に突出している。また、係合部５２Ｘの基部には上方に立ち上がる立上り面５３Ｘが設けられ、後方にいくに従って立上り高さを低くするように形成されている。また、立上り面５３Ｘの上端から、係合部５２Ｘの先端に向かって下向きに傾斜する傾斜面５４Ｘが形成されている。
また、第一カート１を第二カート２Ｘに近づけると、第一カート１の第一ベース部１１と係合部５２Ｘが当接し、第一ベース部１１が傾斜面５４Ｘに沿って前方に移動する。さらに第一カート１を近づけると、第一ベース部１１が立上り面５３Ｘに沿って下方に移動し、第一ベース部１１の下部とベース係合部７Ｘの延設部５１Ｘの上部が当接する。そして、延設部５１Ｘ自体の弾性により、第一ベース部１１には延設部５１Ｘより上方向きの力が作用し、第一ベース部１１と延設部５１Ｘ及び係合部５２Ｘの立上り面５３Ｘは係合される。また、係合された状態から、係合部５２Ｘの傾斜面５４Ｘを足で踏んで下向きの力を加えると、取り外すことが可能である。
また、係合され、第一カート１と第二カート２Ｘが連結された状態において、第二カート２Ｘの高さは、第一カート１の第一天板１２の下面の高さより低くなっている。
また、第一カート１と第二カート２Ｘが連結された状態において、第二カート２Ｘの物品載置部２１Ｘは、第一カート１の第一天板１２の直下に配設されている。
また、第一カート１は、第一ベース部１１、第一支持部１３及び第一天板１２に囲まれるようにして、前方、左方及び右方に連続して開口する前部空間１０が形成されている。そして、第一カート１と第二カート２Ｘが連結された状態において、第二カート２Ｘの物品載置部２１Ｘは前部空間１０に配設されている。
また、第二カート２Ｘは、物品載置部２１Ｘを左右両側で支持する複数の第二支持部２２Ｘを有し、連結手段５Ｘによって第一カート１と第二カート２Ｘとが連結された状態で、第一カート１の前部脚杆１１１及び前部脚杆１１１に取り付けられた第一キャスター１１３は、左右両側に設けられた第二支持部２２Ｘの間に配設されている。
【０１１０】
次に、本実施形態のカートシステム１０１Ｘの作用について説明する。
このように構成されたカートシステム１０１Ｘでは、第一カート１に備えられた第一天板１２は電子機器等の物品を載置可能であるので、執務者は、第一カート１で電子機器を用いて執務を行うことができる。また、第二カート２Ｘには、上下に複数の物品載置部２１Ｘが備えられているので、執務者は、それぞれの物品載置部２１Ｘに物品を載置し、運搬して執務を行うことができる。
また、両方の執務をする場合には、第一カート１を第二カート２Ｘに近づけて、第一ベース部１１を傾斜面５４Ｘに沿って前方に移動させれば、第一ベース部１１と第二カート２Ｘの連結手段５Ｘであるベース係合部７Ｘの延設部５１Ｘを係合し、第一カート１と第二カート２Ｘを連結させて使用することができる。さらに、係合部５２Ｘには立上り面５３Ｘが設けられており、該立上り面５３Ｘと第一ベース部１１と係合されることにより、第一カート１のみが前後方向に移動してしまうことを規制することができる。
また、どちらか一方のみの執務をする場合には、傾斜面５４Ｘを足で踏んで下向きの力を加えると係合は解除され、連結手段５Ｘによる連結が解除されるので、第一カート１又は第二カート２Ｘを単独で使用することができる。
よって、執務者の用途に応じて使用態様の変更を可能としつつ、執務者の使い勝手を良好にすることができる。
また、前述の連結手段５Ｘによる連結を解除すれば、移動しながら電子機器を使用する際に、第一カート１を単独で使用することで、物品載置部２１Ｘを有する第二カート２Ｘを切り離して、コンパクトな使用形態で電子機器を使用することができる。また、物品を搬送する際に、第二カート２Ｘを単独で使用することで、電子機器を載置する第一天板１２を有する第一カート１を切り離して、コンパクトな使用形態で物品を搬送することができる。
また、係合され、第一カート１と第二カート２Ｘが連結された状態において、第二カート２Ｘの物品載置部２１Ｘは、第一カート１の第一天板１２の直下に配設されている。よって、カートシステム１０１Ｘ全体としてコンパクトな形状とすることができる。
また、第一カート１は、第一ベース部１１、第一支持部１３及び第一天板１２に囲まれるようにして、前方、左方及び右方に連続して開口する前部空間１０が形成されている。そして、第一カート１と第二カート２Ｘが連結された状態において、第二カート２Ｘの物品載置部２１Ｘは前部空間１０に配設されているので、カートシステム１０１Ｘ全体としてコンパクトな形状とすることができる。
また、第二カート２Ｘは、物品載置部２１Ｘを左右両側で支持する複数の第二支持部２２Ｘを有し、連結手段５Ｘによって第一カート１と第二カート２Ｘとが連結された状態で、第一カート１の前部脚杆１１１及び前部脚杆１１１に取り付けられた第一キャスター１１３は、左右両側に設けられた第二支持部２２Ｘの間に配設されている。よって、第一カート１と第二カート２Ｘを連結させた状態でカートシステム１０１Ｘ全体としてコンパクトな形状とすることができる。
【０１１１】
なお、上述した実施の形態において示した動作手順、あるいは各構成部材の諸形状や組み合わせ等は一例であって、本発明の主旨から逸脱しない範囲において設計要求等に基づき種々変更可能である。
【符号の説明】
【０１１２】
１…第一カート
２、２Ｓ、２Ｔ、２Ｕ、２Ｖ、２Ｗ、２Ｘ…第二カート
５、５Ｓ、５Ｔ、５Ｕ、５Ｖ、５Ｗ、５Ｘ…連結手段
６、６Ｓ、６Ｔ、６Ｕ…ハンドル嵌合部
７Ｖ、７Ｗ、７Ｘ…ベース係合部
１０…前部空間
１１…第一ベース部
１２…第一天板
１３…第一支持部
２１、２１Ｓ、２１Ｔ、２１Ｕ、２１Ｖ、２１Ｗ、２１Ｘ…物品載置部
２２、２２Ｓ、２２Ｔ、２２Ｕ、２２Ｖ、２２Ｗ、２２Ｘ…第二支持部
２４、２４Ｓ、２４Ｔ、２４Ｕ…第二操作ハンドル部（操作ハンドル部）
１０１、１０１Ｓ、１０１Ｔ、１０１Ｕ、１０１Ｖ、１０１Ｗ、１０１Ｘ…カートシステム
１１３…第一キャスター（キャスター）
【図１】
2013017701.tif 000003
【図２】
2013017701.tif 000004
【図３】
2013017701.tif 000005
【図４】
2013017701.tif 000006
【図５】
2013017701.tif 000007
【図６】
2013017701.tif 000008
【図７】
2013017701.tif 000009
【図８】
2013017701.tif 000010
【図９】
2013017701.tif 000011
【図１０】
2013017701.tif 000012
【図１１】
2013017701.tif 000013
【図１２】
2013017701.tif 000014
【図１３】
2013017701.tif 000015
【図１４】
2013017701.tif 000016
【図１５】
2013017701.tif 000017
【図１６】
2013017701.tif 000018
【図１７】
2013017701.tif 000019
【図１８】
2013017701.tif 000020